(57)【特許請求の範囲】
【請求項１】
建造物に含まれる水分を除去する水分除去システムであって、
設置面に複数の凸部を有し、被設置面である前記建造物の表面と前記複数の凸部を有する設置面とで形成された空間を、蒸気通路にさせるように構成された床部と、
前記蒸気通路内に吸気流を発生させて、前記被設置面である前記建造物の表面を通じて前記建造物に含まれる蒸気化した水分を外部へ排出する吸気部と
を具備する水分除去装置と、
前記蒸気通路内に空気を取り入れる外気取入れ装置と
を備え、
前記床部は、平面状の部材の少なくとも一方の面に前記複数の凸部を有する少なくとも１つの凸部材により構成され、
前記凸部材は、前記複数の凸部の先端部が被設置面である前記建造物の表面に接するように設置されたことを特徴とする水分除去システム。
【請求項２】
建造物に含まれる水分を除去する水分除去装置であって、
設置面に複数の凸部を有し、被設置面である前記建造物の表面と前記複数の凸部を有する設置面とで形成された空間を、蒸気通路にさせるように構成された床部と、
前記蒸気通路内に吸気流を発生させて、前記被設置面である前記建造物の表面を通じて前記建造物に含まれる蒸気化した水分を外部へ排出する吸気部と
を備え、
前記床部は、平面状の部材の少なくとも一方の面に前記複数の凸部を有する少なくとも１つの凸部材により構成され、
前記凸部材は、前記複数の凸部の先端部が被設置面である前記建造物の表面に接するように設置されたことを特徴とする水分除去装置。
【請求項３】
前記凸部材は、前記複数の凸部がマトリクス状に配置されたことを特徴とする請求項２に記載の水分除去装置。
【請求項４】
前記凸部材は、前記複数の凸部が設けられた面の裏面に少なくとも１つ凹部を設けたことを特徴とする請求項２及び請求項３のいずれか一つに記載の水分除去装置。
【請求項５】
前記床部は、複数の前記凸部材を積み重ねて層構造としたことを特徴とする請求項２乃至請求項４のいずれか一つに記載の水分除去装置。
【請求項６】
前記吸気部は、
前記蒸気通路と外部とを繋ぐ通路である蒸気排出通路部と、
前記蒸気排出通路部中に設けられ、前記蒸気通路内に吸気流を発生させて、蒸気化した水分を吸気して外部に向かって排出するファンと、
前記ファンを駆動させるファン駆動部と、
を備えたことを特徴とする請求項２に記載の水分除去装置。
【請求項７】
前記ファン駆動部は、前記ファンを所定の回転数以下で駆動させることを特徴とする請求項６に記載の水分除去装置。
【請求項８】
前記ファン駆動部は、
太陽電池と、
電力を蓄電する蓄電部と、
前記太陽電池で発生する電力により前記ファンを所定の回転数以下で駆動させるファン制御部と
を備え、
前記ファン制御部は、前記ファンの駆動において余剰分の電力を前記蓄電部に蓄電させ、前記ファンの駆動において不足分の電力を前記蓄電部に蓄電された電力から補充して前記ファンを駆動させることを特徴とする請求項７に記載の水分除去装置。
【発明の詳細な説明】
【技術分野】
【０００１】
本発明は、建造物に含まれる水分を除去する水分除去システム、水分除去装置に関する。
【背景技術】
【０００２】
従来の鉄筋建造物の屋上等の構造は、コンクリート下地に、絶縁機械固定工法により防水層を施工したものが多く見られる。しかしながら、上記のような構造の場合、外気とコンクリート下地との温度差により防水層の裏面に結露が発生するおそれがある。この状態が進行すると、コンクリート下地と防水層の間に水分層が生じてしまう。そして、コンクリート下地が経年劣化すると、コンクリート下地のクラックから水分が侵入し、建造物内に雨漏り、カビ、結露を生じさせる。また、防水層自身も経年劣化によりクラックを生じ、そのクラック部分から水（例えば、雨水）が侵入してしまっている。この現象も上記と同様に建造物内に雨漏り、カビ、結露を生じさせる。
【０００３】
以上のような問題点を解決するため、合成樹脂フィルムと長繊維不織布とを上下一体に密着させた脱気下地緩衝シートの不織布側をコンクリート下地に接着剤を用いて接着した後、合成樹脂フィルム側にプライマーを介してＦＲＰ防水層を形成させ、不織布の層に下端を開口する脱気装置を備えさせた防水工法が提案されている（例えば、特許文献１参照。）。この防水工法によれば、不織布の層を通じて水蒸気を脱気装置から外部に排出させることができる。
【先行技術文献】
【特許文献】
【０００４】
【特許文献１】特開２００４−１３１９５５号公報
【発明の概要】
【発明が解決しようとする課題】
【０００５】
しかしながら、上述の防水工法は、コンクリート下地に脱気下地緩衝シートの不織布側を接着剤を用いて接着させた後、合成樹脂フィルム側にプライマーを介してＦＲＰ防水層を形成させており、コンクリート下地に直接施工することを想定したものである。このため、既存の建造物に施工を施す場合、既存の建造物の防水層を全て取り除いて施工する必要があり、多大なコストになる。また、上述の防水工法は、不織布中の空隙を水蒸気の移動通路としており、水蒸気の移動通路として十分な広さを確保しているとは言えない。特に、含水率が高いコンクリート下地の場合や床面積の大きい建造物の場合、大量の水蒸気が発生するため、不織布中の空隙では水蒸気の移動通路として十分なものとは言えない。また、上述の防水工法では、脱気装置は自然に脱気させることを想定しており、大量の水蒸気を脱気させるには不十分なものである。
【０００６】
そこで、本発明は、建造物の防水構造をそのまま維持した状態で、建造物に含まれる水分を水蒸気として、効率良く移動させて外部へ排出する水分除去システム、水分除去装置を提供することを目的とする。
【課題を解決するための手段】
【０００７】
本発明は、上記課題を解決するためになされたものであり、本発明の水分除去システムは、建造物に含まれる水分を除去する水分除去システムであって、設置面に複数の凸部を有し、被設置面である上記建造物の表面と上記複数の凸部を有する設置面とで形成された空間を、蒸気通路にさせるように構成された床部と、上記蒸気通路内に吸気流を発生させて、上記被設置面である上記建造物の表面を通じて上記建造物に含まれる蒸気化した水分を外部へ排出する吸気部とを具備する水分除去装置と、上記蒸気通路内に空気を取り入れる外気取入れ装置とを備え、上記床部は、平面状の部材の少なくとも一方の面に上記複数の凸部を有する少なくとも１つの凸部材により構成され、上記凸部材は、上記複数の凸部の先端部が被設置面である上記建造物の表面に接するように設置されたことを特徴とするものである。これにより、建造物の防水構造をそのまま維持した状態で、建造物に含まれる水分を水蒸気として、効率良く移動させて外部へ排出させるという作用をもたらす。
【０００８】
また、本発明の水分除去装置は、建造物に含まれる水分を除去する水分除去装置であって、設置面に複数の凸部を有し、被設置面である上記建造物の表面と上記複数の凸部を有する設置面とで形成された空間を、蒸気通路にさせるように構成された床部と、上記蒸気通路内に吸気流を発生させて、上記被設置面である上記建造物の表面を通じて上記建造物に含まれる蒸気化した水分を外部へ排出する吸気部とを備え、上記床部は、平面状の部材の少なくとも一方の面に上記複数の凸部を有する少なくとも１つの凸部材により構成され、上記凸部材は、上記複数の凸部の先端部が被設置面である上記建造物の表面に接するように設置されたことを特徴とするものである。これにより、建造物の防水構造をそのまま維持した状態で、建造物に含まれる水分を水蒸気として、効率良く移動させて外部へ排出させるという作用をもたらす。
【０００９】
また、本発明の水分除去装置において、上記床部は、平面状の部材の少なくとも一方の面に複数の凸部を有する凸部材を少なくとも１つ備えたことを特徴とする。また、本発明の水分除去装置において、上記凸部材は、上記複数の凸部がマトリクス状に配置されたことを特徴とする。また、本発明の水分除去装置において、上記凸部材は、上記複数の凸部が設けられた面の裏面に少なくとも１つ凹部を設けたことを特徴とする。また、本発明の水分除去装置において、上記凸部材は、上記複数の凸部が設けられた面の裏面の上記複数の凸部に相当する位置に少なくとも１つ凹部を設けたことを特徴とする。また、本発明の水分除去装置において、上記床部は、複数の上記凸部材を積み重ねて層構造としたことを特徴とする。これにより、蒸気通路としての十分な広さの空間を確保させるという作用をもたらす。
【００１０】
また、本発明の水分除去装置において、上記吸気部は、上記蒸気通路と外部とを繋ぐ通路である蒸気排出通路部と、上記蒸気排出通路部中に設けられ、上記蒸気通路内に吸気流を発生させて、蒸気化した水分を吸気して外部に向かって排出するファンと、上記ファンを駆動させるファン駆動部とを備えたことを特徴とする。また、本発明の水分除去装置において、上記ファン駆動部は、上記ファンを所定の回転数以下で駆動させることを特徴とする。また、本発明の水分除去装置において、上記ファン駆動部は、太陽電池と、電力を蓄電する蓄電部と、上記太陽電池で発生する電力により上記ファンを所定の回転数以下で駆動させるファン制御部とを備え、上記ファン制御部は、上記ファンの駆動において余剰分の電力を上記蓄電部に蓄電させ、上記ファンの駆動において不足分の電力を上記蓄電部に蓄電された電力から補充して上記ファンを駆動させることを特徴とする。これにより、建造物内部と蒸気通路内に強制的に吸気流を発生させるという作用をもたらす。また、ファン駆動を省電力化させる。
【発明の効果】
【００１１】
本発明によれば、建造物の防水構造をそのまま維持した状態で、建造物に含まれる水分を水蒸気として、効率良く移動させて外部へ排出できるという優れた効果を奏し得る。
【図面の簡単な説明】
【００１２】
【図１】本発明の実施の形態における水分除去装置１００を示す図である。
【図２】本発明の実施の形態における床部１０における凸部材１３の構造の一例を示す図である。
【図３】本発明における床部の別の実施の形態である水分除去装置２００乃至４００の断面図である。
【図４】本発明の実施の形態における水分除去システム５００及び６００を示す図である。
【図５】本発明の実施の形態における水分除去装置７００を住宅８００のベランダ８１０に取り付けた様子を示す図である。
【発明を実施するための形態】
【００１３】
次に本発明の実施の形態について図面を参照して詳細に説明する。
【００１４】
図１は、本発明の実施の形態における水分除去装置１００を示す図である。図１（ａ）は、水分除去装置１００の斜視図である。図１（ｂ）は、水分除去装置１００の断面図である。水分除去装置１００は、建造物３０に含まれる水分を蒸気化して除去するものであり、床部１０と、吸気部２０とを備える。
【００１５】
床部１０は、建造物３０の床３１の上に設置される。そして、床部１０は、図１（ｂ）に示すように、床３１と接する設置面は突起形状の凸部１３ａが複数設けられている。そして、凸部１３ａは、例えば床３１と接する設置面に概ねマトリクス状に配置されたものが挙げられるが、凸部１３ａの配置態様はこれに限るものではない。
【００１６】
なお、床部１０が設置される床３１として、例えば、コンクリート製建造物の屋上や、住宅のベランダ（図５参照）等が一例として挙げられるが、これに限るものではなく、その他の場所であってもよい。
【００１７】
床部１０を床３１に設置すると、床部１０の凸部１３ａの先端部が床３１と接し、凸部１３ａが設けられた底面１３ｂと、床３１との間に空間が形成される。底面１３ｂと床３１とにより形成される空間内は、建造物３０の内部における水分による蒸気により充填される。この空間を蒸気通路４０として蒸気は移動する。以上のように、床部１０を床３１に設置すると、建造物３０における被設置面である床３１と、底面１３ｂとにより蒸気が移動するのに十分な広さを有する蒸気通路４０が形成される。
【００１８】
床部１０の構造として、例えば図１（ｂ）に示すように、防水シート１１と、断熱材１２と、凸部材１３とを層状に積み重ねた構造が一例として挙げられるが、これに限るものではない。なお、防水シート１１は、例えばＦＲＰ（Ｆｉｂｅｒ  Ｒｅｉｎｆｏｒｃｅｄ  Ｐｌａｓｔｉｃｓ）により形成されたシート状の部材が挙げられる。また、凸部材１３は、例えば、平面状の部材の少なくとも一方の面に突起形状の凸部１３ａを複数設けた樹脂製の部材が挙げられる。凸部材１３を形成する材質として、例えばポリプロピレン等が挙げられるが、その他の材質であってもよい。また、凸部材１３は、樹脂ではなく、金属・その他の材質により形成されていてもよい。
【００１９】
床部１０のその他の構造として、断熱材１２を除いて防水シート１１と、凸部材１３とを重ねた構造や、凸部材１３のみの構造が挙げられる。凸部材１３のみの構造の場合、凸部材１３の床３１と接しない側の面（上面）に防水コーティング処理を施すことが好ましい。いずれにしても、本発明において床部１０は、床３１と接する面に突起形状の凸部１３ａが複数設けられ、床３１に設置すると床３１と底面１３ｂとの間に形成される空間を蒸気通路とする構成の全てを含むものである。床部１０における凸形状については図２においてさらに説明する。
【００２０】
なお、水分除去装置１００は、新築の建造物に設置する場合と、既存の建造物に設置する場合とがある。水分除去装置１００を新築の建造物に設置する場合、新築の建造物の下地面に直接床部１０を設置することが想定され、上記建造物３０の床３１は下地面となる。建造物３０の下地面に床部１０を設置することにより、本発明の水分除去装置１００を建造物３０の防水構造として当初から組み込むことができる。
【００２１】
一方、既存の建造物に水分除去装置１００を設置する場合、既存の建造物の防水層の表面に直接床部１０を設置することが想定され、上記建造物３０の床３１は防水層の表面となることが想定される。通常、建造物には防水層が床表面に配置されていることが多いからである。しかしながら、防水層が床表面に配置されている場合、建造物３０に含まれる水分は床３１を通じて蒸気通路４０へ移動しにくい。この場合、防水層に穴を開ける等して、防水層よりもさらに下の層と蒸気通路４０とを連通させる通路である連通路３２を形成することが好ましい。どの層と蒸気通路４０とを連通させれば建造物３０の内部における水分を除去しやすいかは、建造物の構造によって変わってくるため、建造物の構造に基づいて決定する。
【００２２】
また、防水層が劣化等の理由によりクラックしている場合は、そのクラック部分が連通路３２としての役割を担い、そこから水分が蒸気として移動可能であるため、改めて連通路３２を形成させなくてもよい。なお、クラック部分のみでは連通路３２としての役割を担いきれない場合、改めて連通路３２を形成させてもよい。以上のようにすれば、除去したい建造物３０に含まれる水分を効率良く蒸気通路４０に移動させることができる。以上のように本発明によれば、新築の建造物、既存の建造物にいずれにも容易に設置することができる。
【００２３】
吸気部２０は、蒸気通路４０内に吸気流を発生させて、被設置面である建造物３０の表面等を通じて建造物３０に含まれる蒸気化した水分を外部へ排出するものである。吸気部２０は、例えば吸気部２０の下端部の外周縁２０ａにおいて床部１０と連結される。これにより、蒸気通路４０と、吸気部２０とが連通した状態になる。そして、吸気部２０は、例えば、蒸気排出通路部２１と、蒸気通路４０内に吸気流を発生させて蒸気を吸気して外部に向かって排出するファン２２と、ファン駆動部２３とを備える。
【００２４】
蒸気排出通路部２１は、ファン２２により吸気された蒸気を外部へ誘導する通路を備えたものである。蒸気排出通路部２１の一例として、図１（ａ）、図１（ｂ）に示すように、蒸気通路４０からファン２２により吸気された蒸気の通路である蒸気通路２１ａと、ファン２２により排出された蒸気の通路である蒸気通路２１ｂとにより構成されたものが一例として挙げられる。蒸気通路２１ａは、例えば筒状部材により構成することが一例として挙げられる。この場合、その筒状部材の上端部にファン２２を設け、筒状部材の下端部の外周縁２０ａを床部１０と連結させる。ファン２２が駆動すると、蒸気通路４０に存在する蒸気は、蒸気通路２１ａに相当する上記筒状部材の方向へ誘導され、その筒状部材の内部を通って筒状部材の外部へ排出される。
【００２５】
蒸気通路２１ｂは、例えば筒状部材により構成することが一例として挙げられる。蒸気通路２１ｂを構成する筒状部材は、一方の底面（上面）が閉じた筒状部材になっている。蒸気通路２１ｂを構成する筒状部材の径は、蒸気通路２１ａを構成する筒状部材の径より大きい。そして、蒸気通路２１ｂを構成する筒状部材は、図１（ａ）、図１（ｂ）に示すように、筒状部材の軸をほぼ同じくし、蒸気通路２１ａを構成する筒状部材の周囲を覆うような態様で設けられている。これにより、ファン２２から排出された蒸気は、蒸気通路２１ｂを構成する筒状部材により誘導されて、外部に排出される。
【００２６】
ファン駆動部２３は、ファン２２を駆動させるものであり、例えばファン制御部２３ａと、太陽電池２３ｂと、蓄電部２３ｃとを備える。ファン制御部２３ａは、太陽電池２３ｂにおいて生成された電力によりファン２２を駆動させる。この際におけるファン２２の駆動態様は様々な態様が挙げられる。
【００２７】
ファン２２の駆動態様の一つとして、ファン２２を所定の回転数以下で回転させる駆動態様が挙げられる。この場合、ファン制御部２３ａは、ファン２２に供給する電力を所定の電力以下にして、残りの電力を蓄電部２３ｃにおいて蓄電させる。なお、ファン２２に供給する最大の電力がファン２２の上記所定の回転数に相当することが想定される。
【００２８】
そして、太陽電池２３ｂにおいて生成される電力が天候の状態により所望の量に達しなくなった場合、ファン制御部２３ａは、蓄電部２３ｃに蓄電された電力をも用いてファン２２を駆動させる。なお、蓄電部２３ｃにおいて蓄電される電力は、太陽電池２３ｂにおいて生成された電力に限るものではなく、その他のもの（例えば、建造物３０に付設された電源装置）から供給された電力であってもよい。この場合、太陽電池２３ｂにおいて生成される電力がファン２２の駆動に十分な電力でなくとも、蓄電部２３ｃが電力不足を補うことになる。
【００２９】
ファン２２の駆動態様を上記のようにすれば、太陽電池２３ｂで生成された電力を効率よく使用することができる。また、ファン２２の回転数を所定回転数以下とするため、ファン２２の寿命をのばすことができる。さらに、天候の状態が悪い時でも、蓄電部２３ｃにより十分な電力をファン２２に供給することができる。
【００３０】
なお、ファン２２の駆動態様は上記以外の駆動態様であってもよい。また、上記において電力の供給元は太陽電池２３ｂ及び蓄電部２３ｃの２つあるが、いずれか一つであってもよく、そのような構成も本発明の範囲に含まれる。また、上記において電力の供給元は、上記太陽電池２３ｂ及び蓄電部２３ｃではなく、建造物３０に付設された電源装置・その他の電源装置であってもよく、そのような構成も本発明の範囲に含まれる。
【００３１】
図２は、本発明の実施の形態における床部１０における凸部材１３の構造の一例を示す図である。図２（ａ）は、凸部材１３の平面図である。凸部材１３は、上記述べたように、例えば、平面状の部材の少なくとも一方の面に突起形状の凸部１３ａを複数設けた樹脂製の部材が挙げられる。そして、凸部材１３における凸部１３ａは、概ね円錐形状又は円錐台形状とすることが一例として想定され、図２（ａ）においては円形状の部分が複数あるが、これら一つ一つが凸部１３ａに相当する。なお、凸部材１３における凸部１３ａの形状はその他の形状であってもよい。
【００３２】
凸部材１３における凸部１３ａは、図２（ａ）に示すように、例えば、概ねマトリクス状に配置させることが一例として挙げられるが、これに限るものではなく、その他の配置態様であってもよい。上記概ねマトリクス状に配置とは、縦横方向にランダムに配置されたマトリクス状に近い状態の配置をも含むものである。凸部材１３に面状の力（例えば、図２（ａ）の紙面に垂直方向、又は図２（ｂ）の矢印Ｃ方向から加わる人の体重）が加えられた場合に凸部１３ａが潰れないような強度を凸部材１３に持たせる必要がある。したがって、この配置の仕方は上記強度の観点から様々な態様が想定され、本発明においては様々な配置の全てをも含む。また、上記強度の観点においては凸部材１３を構成する材質についても考慮する。また、上記記強度の観点に加えて、例えば、蒸気を効率良く流せるかどうかの観点をも含めて配置を決めてもよい。
【００３３】
以上のように配置された凸部１３ａは蒸気通路４０の中では柱に相当する部分になる。そして、蒸気は、例えば、図２（ａ）に示す矢印に示すように、凸部１３ａ間をすり抜けて吸気部２０が吸気する方向へ移動する。
【００３４】
図２（ｂ）は、図２（ａ）に示す凸部材１３における楕円領域ＢのＡ−Ａ断面図である。なお、図２（ｂ）において凸部材１３の下側を凸部材１３の下面、凸部材１３の上側を凸部材１３の上面と呼ぶこととする。凸部材１３は、図２（ｂ）に示すように、凸部材１３の下面１３ｃにおいて突起しており、その突起した凸部１３ａの形状として、上記説明したように概ね円錐形状又は円錐台形状が一例として挙げられる。また、凸部材１３は、図２（ｂ）に示すように、凸部材１３の上面１３ｄ（凸部１３ａが設けられた面の裏面）の凸部１３ａに相当する位置において凹んでおり、その凹んだ凹部１３ｅの形状として、概ね円錐形状又は円錐台形状、半球形状等が一例として挙げられる。
【００３５】
図２（ｂ）に示すような態様の凸部材１３の上面１３ｄに防水シート１１を重ねると、図２（ｃ）に示すように、凹部１３ｅと防水シート１１とで所定の空間が形成され、その空間には空気が充填される。そして、その空間の空気は、一般的に熱伝導率が低いため、断熱材と同様の効果を奏する。したがって、凹部１３ｅを設ければ、床部１０から図１における断熱材１２を省略することも選択技の一つとなる。なお、凸部材１３は、図２（ｂ）、図２（ｃ）に示す態様ではなく、図２（ｄ）に示すように、凸部材１３の上面１３ｄの凸部１３ａに相当する位置が凹んでいないものであってもよい。すなわち、凸部材１３に凹部１３ｅがない構成であってもよい。また、凸部材１３は、凸部材１３の上面１３ｄの凸部１３ａに相当する位置が凹んでいる部分（凹部１３ｅ）と凹んでいない部分が混在する構成であってもよい。すなわち、凸部材１３は、凸部材１３の上面１３ｄの凸部１３ａに相当する位置に少なくとも１つ凹部１３ｅを設けたものであってもよい。さらに、凹部１３ｅが設けられる位置として、凸部材１３の上面１３ｄ（凸部１３ａが設けられた面の裏面）の凸部１３ａに相当する位置以外であってもよい。これは、凹部１３ｅは、凸部材１３の上面１３ｄのいずれかに設ければ、上記断熱材としての効果を奏するためである。このような凹部１３ｅの態様も本発明の範囲に含まれる。
【００３６】
図３は、本発明における別の実施の形態である水分除去装置２００乃至４００の断面図である。なお、以下において、符号は違っても図１及び図２において用いた名称と同様の名称のものは同様の機能を有するものであり、可能なかぎり図１及び図２において説明したことを適用することができる。
【００３７】
図３（ａ）は、水分除去装置２００における床部２１０の断面図である。床部２１０は、防水シート２１１と、凸部材２１３とが順に積み重なったものである。これは、図１における床部１０から断熱材１２を取り除いた構造と同様の構造である。断熱材１２を取り除いても、凸部材１３として図２（ｂ）及び図２（ｃ）に示す態様のものを用いれば、凸部材２１３と防水シート２１１とで形成される空間が断熱材と同様の効果を奏するため、凸部材２１３として図２（ｂ）及び図２（ｃ）に示す態様のものを用いてもよい。
【００３８】
図３（ｂ）は、水分除去装置３００における床部３１０の断面図である。床部３１０は、防水シート３１１と、凸部材３１３ａと、凸部材３１３ｂとが順に積み重なったものである。床部３１０は、床部２１０に凸部材を１つ多く積み重ねたものである。図３（ｃ）は、水分除去装置４００における床部４１０の断面図である。床部４１０は、防水シート４１１と、凸部材４１３ａと、断熱材４１２と、凸部材４１３ｂとが順に積み重なったものである。床部４１０は、床部３１０に断熱材４１２を１つ挿入したものである。
【００３９】
図３（ｂ）や図３（ｃ）のように床部を構成すれば、凸部材により構成される空間が２つでき、蒸気通路が２層構造になる。この２層構造の蒸気通路間を連通させれば（例えば、２層間に連通路を設ける）、より十分な広さの蒸気通路を構成することができる。また、凸部材により構成される空間は、断熱効果をも有するので、建造物内の温度を一定に維持することに資する。さらに、凸部材として、図２（ｂ）に示す凸部材を用いれば、断熱効果を有する空間をさらに形成することができ、建造物内の温度を一定に維持することにさらに資する。
【００４０】
なお、床部２１０乃至４１０の構造は一例であって、例えば、防水シートと、３つ以上の凸部材を連続して積み重ねた床部や、３つ以上の凸部材と、防水シート、断熱材等の別の部材とを任意の順番に積み重ねた床部や、表面に防水コーティング処理を施した３つ以上の凸部材を積み重ねた床部も本発明の範囲に含まれる。さらに、以上に準じて凸部材を用いた様々な組み合わせの床部も本発明の範囲に含まれる。これによれば、蒸気通路を３層以上の構造とした床部を形成させることができる。
【００４１】
図４は、本発明の実施の形態における水分除去システム５００及び６００を示す図である。図４（ａ）は、水分除去システム５００を示す図である。なお、図４（ａ）において矢印は、空気の流れを表すものである。水分除去システム５００は、水分除去装置５１０と、外気取入れ装置５２０とを備える。水分除去装置５１０は、図１乃至図３までで説明したものと同じものであり、既に説明済みであるため、その説明を省略する。外気取入れ装置５２０は、外部から空気を取り入れるものである。外気取入れ装置５２０は、図４（ａ）に示すように、蒸気排出通路部２２１とほぼ同様の構造である。
【００４２】
すなわち、外気取入れ装置５２０は、水分除去装置５１０により生じた空気の流れにより、外部から空気を取り入れて床部５１１へ空気を誘導する通路を備えた構造をしている。外気取入れ装置５２０の一例として、図４（ａ）に示すように、外部から、吸気された空気の通路である空気通路５２１ａと、蒸気通路２４０へ空気を誘導する通路である空気通路５２１ｂとにより構成されたものが挙げられる。
【００４３】
空気通路５２１ａ及び空気通路５２１ｂは、例えば筒状部材により構成することが一例として挙げられる。空気通路５２１ａを構成する筒状部材の径は、空気通路５２１ｂを構成する筒状部材の径より大きい。そして、空気通路５２１ａを構成する筒状部材は、図４（ａ）に示すように、筒状部材の軸を同じくし、空気通路５２１ｂを構成する筒状部材の周囲を覆うような態様で設けられる。空気通路５２１ｂを構成する筒状部材の下端部の外周縁を床部５１１と連結させる。
【００４４】
以上のように構成された水分除去システム５００の動作について以下説明する。水分除去装置５１０における（図示しない）ファンが回転することにより、図４（ａ）の矢印に示す空気の流れが、水分除去システム５００全体に生じる。すると、蒸気通路５４０中の蒸気は吸気部５１２に向かって移動して外部に排出される。また、この空気の流れにより外気取入れ装置５２０は外部から空気を取り入れ、蒸気通路５４０に空気を供給する。
【００４５】
また、水分除去システム５００による空気の流れは、建造物５３０の床５３１に含まれる水分を蒸気化させることを促進させる。このため、建造物５３０に含まれる水分の含水率を低下させることが容易にできる。本発明では、蒸気通路として十分な広さを確保できるため、容易に蒸気通路内に十分な空気の流れを作り出すことができる。このため、従来の水分除去システムよりも、水分除去を効率よく、短時間で行うことができる。
【００４６】
図４（ｂ）は、水分除去システム６００を示す図である。なお、図４（ｂ）において矢印は、空気の流れを表すものである。水分除去システム６００は、水分除去装置６１０と、外気取入れ装置６２０とを備える。水分除去装置６１０は、図１乃至図３までで説明したものと同じものであり、既に説明済みであるため、その説明を省略する。外気取入れ装置６２０も、外気取入れ装置５２０と同様で、外部から空気を取り入れるものである。外気取入れ装置６２０は、図４（ｂ）に示すように、建造物６３０の一部と、上下方向に伸びる床部６１１ａとを用いて構成されている。
【００４７】
すなわち、外気取入れ装置６２０は、建造物６３０の床の立ち上がり部６３１及び部材６２２で構成される空気通路６２１ａと、建造物６３０の床の立ち上がり部６３１及び床部６１１ａで構成される空気通路６２１ｂとにより構成されている。建造物６３０の床の立ち上がり部６３１と、部材６２２とで上面が閉じた筒状部材を形成しており、建造物６３０の床の立ち上がり部６３１と、上下方向に伸びる床部６１１ａとで筒状部材を形成している。そして、前者の筒状部材（空気通路６２１ａ）は後者の筒状部材（空気通路６２１ｂ）の周囲及び上面を覆うように配置されている。また、後者の筒状部材（空気通路６２１ｂ）は建造物６３０の床方向に伸びる床部６１１ｂと連結され、蒸気通路４０と連通した状態にある。これにより、外部から吸気された空気は、順に空気通路６２１ａ、空気通路６２１ｂを通って蒸気通路６４０に流れていく。そして、水分除去装置６１０により蒸気と伴に外部に排出される。
【００４８】
以上のように構成された水分除去システム６００の動作について以下説明する。水分除去装置６１０における（図示しない）ファンが回転することにより、図４（ｂ）の矢印に示す空気の流れが、水分除去システム６００全体に生じる。すると、蒸気通路６４０中の蒸気は吸気部６１２に向かって移動して外部に排出される。また、この空気の流れにより外気取入れ装置６２０は外部から空気を取り入れ、蒸気通路６４０に空気を供給する。
【００４９】
また、水分除去システム６００による空気の流れは、建造物６３０の床６３１に含まれる水分を蒸気化させることを促進させる。このため、建造物６３０に含まれる水分の含水率を低下させることが容易にできる。本発明では、蒸気通路として十分な広さを確保できるため、容易に蒸気通路内に十分な空気の流れを作り出すことができる。このため、従来の水分除去システムよりも、水分除去を効率よく、短時間で行うことができる。
【００５０】
なお、図４において建造物５３０及び６３０のおける床５３１及び６３２に、図１で説明した連通路を設ける態様も本発明に含まれる。連通路を設けるか否かは、建造物５３０及び６３０のおける床５３１及び６３２の状態や構造等によって決定される。
【００５１】
図５は、本発明の実施の形態における水分除去装置７００を住宅８００のベランダ８１０に取り付けた様子を示す図である。図５に示すように、ベランダ８１０の床８１１に床部７１０を敷く。そして、吸気部７２０の下端部を床部７１０と連結させる。なお、ベランダ８１０の床８１１に住宅８００の１階天井８２０と蒸気通路７４０とを連通させる連通路８１２を設けておくと、住宅８００内の湿気等の水分が床部７１０の蒸気通路７４０に流れ込みやすくなるため、連通路８１２を床８１１に設けるようにしてもよい。
【００５２】
また、水分除去装置７００において吸気部７２０における太陽電池７２１は、吸気部７２０の上面ではなく、太陽光を受光しやすいベランダ８１０の柵８１３に取り付けてある。また、水分除去装置７００において吸気部７２０における蓄電部７２２は、例えば住宅に設けられた家庭用電源８３０からも充電可能な態様にしてもよい。また、水分除去装置７００に対する電力の供給は、太陽電池７２１や蓄電部７２２の代わりに家庭用電源８３０に直接行わせるようにしてもよい。また、図４で説明した外気取入れ装置５２０及び６２０に相当するものを住宅８００にいずれかに設けてもよい。外気取入れ装置５２０及び６２０に相当するものは、住宅８００に適した構造のものでよい。
【００５３】
水分除去装置７００においては、さらに湿度センサ７３１を備えている。この湿度センサ７３１が所定の閾値湿度を検出すると、吸気部７２０における（図示しない）ファンが駆動し、住宅８００内の蒸気が蒸気通路７４０を通じて外部へ排出される。なお、図５において湿度センサ７３１は１階天井８２０に取り付けられているが、どの場所に取り付けるものであっても本発明に含まれる。また、湿度センサ７３１の代わりに、もしくは湿度センサ７３１に加えて（図示しない）温度センサを取り付けるようにしてもよい。温度センサの場合も同様に、温度センサが所定の閾値温度を検出した場合に（図示しない）ファンが駆動するようにする。このように構成すれば、吸気部７２０における（図示しない）ファンを常時駆動させなくとも、所望の室内環境を実現することができ、ファンの寿命の長期化や省電力化に資する。
【００５４】
なお、本発明の実施の形態は本発明を具現化するための一例を示したものであり、これに限定されるものではなく本発明の要旨を逸脱しない範囲において種々の変形を施すことができる。
【符号の説明】
【００５５】
１００、２００、３００、４００、５１０、６１０、７００  水分除去装置
１０、２１０、３１０、４１０、５１１、６１１、７１０  床部
１１、２１１、３１１、４１１  防水シート
１２、４１２  断熱材
１３、２１３  凸部材
１３ａ、３１３ａ、３１３ｂ、４１３ａ、４１３ｂ  凸部
１３ｂ  底面
１３ｅ  凹部
２０、５１２、６１２、７２０  吸気部
２１、２２１  蒸気排出通路部
２２  ファン
２３  ファン駆動部
２３ａ  ファン制御部
２３ｂ、７２１  太陽電池
２３ｃ、７２２  蓄電部
３２、８１２  連通路
４０、２４０、５４０、６４０、７４０  蒸気通路
５００、６００  水分除去システム
５２０、６２０  外気取入れ装置
６２２  部材
７３１  湿度センサ
８３０  家庭用電源
【図１】
0005757516.tif 000002
【図２】
0005757516.tif 000003
【図３】
0005757516.tif 000004
【図４】
0005757516.tif 000005
【図５】
0005757516.tif 000006